(57)【要約】【課題】  建造物の形状および居住者表記が見やすい住宅地図を提供する。【解決手段】  本住宅地図１００は、家枠１０２ａ〜１１０ｂと居住者表記１０２Ａ〜１１０Ａとが主な構成要素である。居住者表記１０２Ａ〜１１０Ａは、家屋が建築されている敷地をはみ出さない範囲で、家屋の形状に拘束されずに表記されている。本住宅地図１００によれば、家枠１０２ａ〜１１０ｂにより、居住者表記１０２Ａ〜１１０Ａは、家屋が建築される敷地内に略均等に表記されるため、大小縮尺のいずれにも対応することができる。【選択図】  図１
2004348161.tif 000002
【特許請求の範囲】
【請求項１】
住宅地図であって、
建造物の形状を表す建造物枠表記と、
前記建造物の居住者を表す居住者表記とを有し、
前記居住者表記は、前記建造物が建築されている敷地をはみ出さない範囲で、前記建造物枠表記に拘束されずに記載される住宅地図。
【請求項２】
請求項１に記載の住宅地図であって、
前記居住者表記の最初および最後の文字は、前記敷地の図心に略点対称に配置されていることを特徴とする住宅地図。
【請求項３】
請求項１記載の住宅地図であって、
前記居住者表記は、前記敷地内に複数の建造物が存在する場合、該敷地内の全建造物にわたって表記されることを特徴とする住宅地図。
【請求項４】
請求項１ないし３いずれかに記載の住宅地図であって、
前記居住者表記と前記建造物枠表記は、明度、色相、彩度の少なくとも一部が有意に異なる住宅地図。
【請求項５】
請求項４に記載の住宅地図であって、
前記居住者表記および前記建造物枠は、異なる明度で単色表示される住宅地図。
【請求項６】
請求項５記載の住宅地図であって、
前記居住者表記は黒色、前記建造物枠の内部は、マンセル指標において、明度９．０以上９．７以下である住宅地図。
【請求項７】
請求項１ないし６いずれかに記載の住宅地図であって、
同一敷地内に複数の建造物が存在するとき、少なくとも一部の建造物は、重要度に応じた表示態様で他の建造物と区別して表記することを特徴とする住宅地図。
【請求項８】
請求項１ないし７いずれかに記載の住宅地図を表す電子地図。
【請求項９】
請求項８記載の住宅地図を表す電子地図を、コンピュータ読み取り可能に記録した記録媒体。
【発明の詳細な説明】
【技術分野】
【０００１】
本発明は、建造物の形状を表す建造物枠表記とその建造物の居住者を表す居住者表記とを地図上に併記する住宅地図に関する。
【背景技術】
【０００２】
従来、住宅地図には、図５に示す住宅地図５００のように、建造物枠表記５０２ａ〜５１０ｂ内に居住者表記５０２Ａ〜５１０Ａを行なうもの（以下、第一の住宅地図という）と、図６に示す住宅地図６００のように、建造物枠表記は行なわず、本来存在しない敷地枠という仮想の区画線６０２ａ〜６１０ａ（以下、仮想区画線という）を記入して、その仮想区画線６０２ａ〜６１０ａ内に居住者表記６０２Ａ〜６１０Ａを行なうもの（以下、第二の住宅地図という）とがある。
【０００３】
第一の住宅地図によれば、建造物枠表記５０２ａ〜５１０ｂおよび居住者表記５０２Ａ〜５１０Ａにより、建造物の形状および当該建造物の居住者を容易に確認することができるようになる。また、第二の住宅地図によれば、仮想区画線６０２ａ〜６１０ａおよび居住者表記６０２Ａ〜６１０Ａにより、建造物枠表記はないが、実際には敷地内に存在する建造物の居住者を容易に推測することができ、かつ第一の住宅地図では建造物枠内に居住者表記しづらいような小縮尺でも居住者表記を行なうことができる。また、敷地の範囲を容易に類推することもできる。
【０００４】
このように、両者の住宅地図は、相互に補完しあうことで、利用者のニーズを満たしていた。
【発明の開示】
【発明が解決しようとする課題】
【０００５】
両者の住宅地図を個別に利用した場合の欠点を分析すると次のようになる。すなわち、第一の住宅地図では、１／３０００程度の小縮尺では、建造物枠表記５０２ａ〜５１０ｂ内に居住者表記５０２Ａ〜５１０Ａがしづらい。また、同一敷地内に複数の建造物がある場合、たとえば、特許桜子さんや善隣花子さんの場合のように、代表の建造物にだけしか居住者表記を行なっていないため、建造物枠表記５０６ａや５１０ｂで表される他の建造物の居住者がかえって不明確になる恐れがあった。
【０００６】
また、第二の住宅地図では、建造物枠表記をしないため、建造物の形状が確認できず、利用者にとって不便であった。
【０００７】
これらの問題を解決するために、第三の住宅地図として、建造物枠表記をしつつ、仮想区画線を記入し、かつこの仮想区画線内に居住者表記を行うものも考えられるが、地図の表示内容が多岐複雑となって、見にくくなる。
【０００８】
本発明の目的は、大小縮尺のいずれにも対応できて、仮想区画線の記入が不要で、かつ、住宅地図の利用に必要な建造物の形状および居住者表記が見やすい住宅地図を提供することである。
【課題を解決するための手段】
【０００９】
上記課題の少なくとも一部を解決するため、本発明の住宅地図は、建造物の形状を表す建造物枠表記と、前記建造物の居住者を表す居住者表記とを有し、前記居住者表記は、前記建造物が建築されている敷地をはみ出さない範囲で、前記建造物枠表記に拘束されずに記載される。
【００１０】
ここで、建造物とは、敷地内に建てられた建築物であり、典型的には家屋（母屋、離れ、倉庫などを含む）であるが、公共建物、商業建物、雑居建物なども含まれる。
【００１１】
また、居住者とは、当該建造物を特定するために用いられる一般的な呼称であって、建造物が家屋である場合には、その家屋に住んでいる個人名である。その他、その家屋で多少の時間的な継続をもって生活している個人名や、その住居の所有者名も含まれる。
【００１２】
また、建造物が公共建物、たとえば、小学校、中学校、区役所、市役所、県庁などである場合には、当該建物の主たる機能の名称である。さらに、建造物が商業建物、たとえば、大型デパートや銀行などである場合には、当該建物を主として占めている会社名である。また、建造物が雑居建物、たとえば、多数の店舗が入居するビルの場合には、当該建物の建物名である。
【００１３】
また、居住者表記を、建造物が建築されている敷地をはみ出さない範囲で、建造物の形状に拘束されずに記載するとは、居住者表記（文字列）を、建造物が建築されている敷地の内部であって、建造物の形状に囚われず配置することをいい、たとえば、居住者表記（文字列）の文字フォント、文字スタイル、文字飾り（下線、下付き、上付き、影付きなど）、文字サイズ、文字間隔、行送りなどを自由に設定することをいう。
【００１４】
住宅地図の提供方法は、典型的には、紙に印刷された紙地図であるが、これに限らず、電子地図であってもよい。紙地図の場合には、持ち運びに便利、いつでも見れるなどの利点があり、電子地図の場合には、広域図から詳細図まで表示が変更自在、見たい場所が自動検索できる、ページの境目がないなどの利点がある。
【００１５】
また、住宅地図の出力は、単色であっても、カラーであってもよい。住宅地図の縮尺は、特に限定はないが、１／１５００〜１／４５００程度であることが好ましく、特に１／３０００程度が好ましい。
【００１６】
本発明の住宅地図によれば、建造物の形状を表す建造物枠表記により、第一の住宅地図と同様、建造物の形状を確認することができる。また、居住者表記は、建造物が建築されている敷地をはみ出さない範囲で、建造物の形状に拘束されずに記載されるため、第二の住宅地図と同様、大小縮尺のいずれにも対応することができる。
【００１７】
つまり、一つの住宅地図で、大小縮尺のいずれにも対応することができ、かつ建造物の形状を確認することができる。また、第三の住宅地図のように、多岐複雑とならず、見やすい住宅地図となる。
【００１８】
また、本発明の住宅地図は、居住者表記の最初および最後の文字を、敷地の図心（重心）に略点対称に配置させるように構成してもよい。
【００１９】
こうすることにより、居住者表記が、敷地内に均等に配置され、この均等に配置された居住者表記から、敷地の範囲を類推することができる。
【００２０】
なお、居住者表記の配置方法は、コンピュータにより自動的に処理するとしてもよいし、オペレータとの対話により半自動的に処理するとしてもよい。コンピュータにより自動的に処理する場合には、オペレータの労力を削減できるという利点があり、オペレータとの対話により半自動的に処理する場合には、敷地の形状が複雑であり、図心（重心）が求まりにくい場合に適切な位置に配置できるという利点がある。
【００２１】
また、本発明の住宅地図は、居住者表記は、敷地内に複数の建造物が存在する場合、敷地内の全建造物にわたって表記するように構成してもよい。
【００２２】
こうすることにより、同一敷地内に複数の建造物がある場合であっても、第一の住宅地図のように、代表の建造物以外の居住者が不明確になる恐れもない。
【００２３】
さらに、本発明の住宅地図は、居住者表記と建造物枠表記とを、明度、色相、彩度の少なくとも一部が有意に異なるように構成してもよい。
【００２４】
こうすることにより、建造物枠表記と居住者表記の重なりがあっても、両者を容易に判別することができる。
【００２５】
また、本発明の住宅地図は、居住者表記および建造物枠は、異なる明度で単色表示するように構成してもよい。
【００２６】
こうすることにより、単色で、安価に住宅地図を印刷することができる。
【００２７】
さらに、本発明の住宅地図は、居住者表記は黒色、建造物枠の内部は、マンセル指標において、明度９．０以上９．７以下であるように構成してもよい。なお、この場合、建造物枠の内部は、より好ましくは９．２以上９．６以下であり、特に、９．５が好ましい。
【００２８】
ここで、マンセル指標とは、色相・明度・彩度のそれぞれ独立した三種の色の性質（三属性）によって一つの色を表示するものをいう。
【００２９】
このうち、色相は、色味を示し、赤（Ｒ）、黄（Ｙ）、緑（Ｇ）、青（Ｂ）、紫（Ｐ）の５色相を基本とし、さらに中間に黄赤（ＹＲ）、黄緑（ＧＹ）、青緑（ＢＧ）、青紫（ＰＢ）、赤紫（ＲＰ）を配して１０色相としている。これらの１０色相は、円周上に順序正しく配列されて色相環を形成する。明度は、明るさを示し、完全吸収の理想の黒を０、完全反射の理想の白を１０としている。彩度は、鮮やかさを示し、無彩色軸を中心として同心円上に配列され、中心から遠ざかるに従って鮮やかな色になり彩度も高くなる。
【００３０】
こうすることにより、建造物枠の内部と居住者表記の重なりがあっても、一段と両者を判別しやすくなる。さらにこの場合、建物物枠の内部と紙面とが見分けにくくなるのを避けるために、建造物枠（線）の明度を４．０〜６．０、より好ましくは５．０に下げ、紙面との差異を際立たせるとよい。
【００３１】
なお、上記住宅地図を紙面上で構成する場合、スクリーン線数は、１００線以上２００線以下であることが好ましい。このうち、１００線以上１５０線以下であれば、高度な印刷技術を用いることなく、確実に印刷できるという利点があり、１５０線以上２００線以下であれば、人が肉眼上、建造物枠表記が実線で見えるという利点がある。
【００３２】
ここで、スクリーン線数とは、印刷の精度を示す尺度のひとつで、写真など濃淡のある部分は、製版段階で細かい網点に変えて印刷するが、この網点を１インチに何列並べるかで精度が決まるものである。単位は「線」、または「ｌｐｉ」（ｌｉｎｅｓ  ｐｅｒ  ｉｎｃｈ）である。
【００３３】
また、本発明の住宅地図は、同一敷地内に複数の建造物が存在するとき、少なくとも一部の建造物は、重要度に応じた表示態様で他の建造物と区別して表記するように構成してもよい。
【００３４】
こうすることにより、複数の建造物のうち、特に居住者表記と関連性が深い建造物を容易に特定することができる。
【００３５】
なお、重要度とは、建造物が家屋である場合には、実際に居住者が住んでいる建造物である。
【００３６】
また、建造物が公共建物である場合には、実際に主たる機能が発揮される建造物である。また、建造物が商業建物である場合には、実際に主として占めている会社の機能が発揮される建造物である。
【００３７】
また、区別して表示するとは、人が視認できる程度に異ならせて表示させるという意味であり、例えば、色相、彩度、明度を異ならせて表示することが含まれる。
【００３８】
したがって、たとえば、住宅地図がカラーで表示される場合には、重要度の高い建造物を赤、他の建造物を青というように、色相を異ならせると好適である。
【００３９】
また、住宅地図が単色で表示される場合には、重要度の高い建造物の明度を低くし、他の建造物の明度を高くするというように、明度を異ならせると好適である。
【００４０】
さらに、色相と明度の両者を組み合わせると、多彩な表現が可能となり、より好ましい。この場合、上記住宅地図を、自在に色表現ができる電子地図で構成することが好ましい。
【００４１】
なお、電子地図の場合、記憶媒体としては、フレキシブルディスクやＣＤ−ＲＯＭ、ＤＶＤ、光磁気ディスク、ＩＣカード、ＲＯＭカートリッジ、パンチカード、バーコードなどの符号が印刷された印刷物、コンピュータの内部記憶装置（ＲＡＭやＲＯＭなどのメモリ）および外部記憶装置等の、コンピュータが読取り可能な種々の媒体を利用できる。
【発明を実施するための最良の形態】
【００４２】
本発明の実施の形態について、次の項目に分けて説明する。
Ａ．第一実施例：
Ｂ．第二実施例：
Ｃ．第三実施例：
Ｄ．第四実施例：
【００４３】
Ａ．第一実施例：
図１に、第一の実施例に係る住宅地図１００を示す。本住宅地図１００は、建造物としての家屋の形状を表す家枠１０２ａ〜１１０ｂとその家屋の居住者を表す居住者表記１０２Ａ〜１１０Ａとが主な構成要素である。その他、家屋の周辺に存在する道路１１２ａなども構成要素に含まれる。
【００４４】
本住宅地図１００は、紙に白黒で印刷されたものであり、１／３０００の縮尺で表されている。家枠１０２ａ〜１１０ｂ、居住者表記１０２Ａ〜１１０Ａは、共に黒色（明度０）で表記されている。
【００４５】
なお、本第一実施例を含め、第二〜第四実施例において、色相、明度、彩度という場合は、マンセル指標に基づいた値として説明することとする。
【００４６】
図１に示すように、居住者表記１０２Ａ〜１１０Ａは、家屋が建築されている敷地をはみ出さない範囲で、家屋の形状に拘束されずに表記されている。より、具体的には、居住者表記の最初および最後の文字を、敷地の図心に点対称に配置され、敷地内に略均等に表記されている。たとえば、日本一郎さんの場合では、居住者表記１０２Ａが、敷地（仮想区画線６０２ａ）の図心１０２に点対称に配置させ、その結果、敷地内に略均等に表記されており、家屋の形状を表す家枠１０２ａからはみ出している。その他、特許玉三郎さん、特許桜子さん、善隣太郎さん、善隣花子さんの場合も同様である。
【００４７】
本住宅地図１００によれば、家枠１０２ａ〜１１０ｂにより、家屋の形状を確認することができることはもちろん、居住者表記１０２Ａ〜１１０Ａは、家屋が建築される敷地（仮想区画線６０２ａ〜６１０ａ）内に略均等に表記されるため、大小縮尺のいずれにも対応することができる。また、居住者表記１０２Ａ〜１１０Ａから、敷地の範囲を類推することもできる。
【００４８】
また、同一敷地内に複数の家屋がある場合であっても、代表の家屋以外の居住者が不明確になる恐れもない。
【００４９】
たとえば、特許桜子さんの場合では、居住者表記１０６Ａが、家屋の形状を表す家枠１０６ａ、１０６ｂにわたって（略跨って）表記されているため、この家枠１０６ａ、１０６ｂで表される家屋の居住者が特許花子さんであることが明確である。また、善隣花子さんの場合でも、居住者表記１１０Ａが、家屋の形状を表す家枠１１０ａ、１１０ｂに略跨って表記されているため、この家枠１１０ａ、１１０ｂで表される家屋の居住者が特許花子さんであることが明確である。
【００５０】
つまり、住宅地図の利用に必要な建造物の形状および居住者表記が全て網羅していながら、多岐複雑とならない、見やすい住宅地図を提供することができる。
【００５１】
なお、本住宅地図１００では、家枠のうち、居住者表記の存在領域に掛かる部分を印刷していない。そのため、居住者表記１０２Ａ〜１１０Ａが見やすい利点がある。
【００５２】
Ｂ．第二実施例：
図２に、第二の実施例に係る住宅地図２００を示す。本住宅地図２００は、上述した第一の実施例に係る住宅地図１００と同様、家枠２０２ａ〜２１０ｂとその家屋の居住者を表す居住者表記２０２Ａ〜２１０Ａとが主な構成要素であり、その他、家屋の周辺に存在する道路２１２ａなども構成要素に含まれる。
【００５３】
また、本住宅地図２００は、第一の実施例に係る住宅地図１００と同様、紙に白黒で印刷されたものであり、１／３０００の縮尺で表されている。
【００５４】
一方、本住宅地図２００は、第一の実施例に係る住宅地図１００と異なり、居住者表記の存在領域に掛かる部分があっても、家枠２０２ａ〜２１０ｂを全周に亘り印刷している。そのため、家枠２０２ａ〜２１０ｂを全周に亘り確認することができるという、第一の実施例に係る住宅地図１００が有していない利点がある。
【００５５】
また、本住宅地図２００は、第一の実施例に係る住宅地図１００と異なり、家枠２０２ａ〜２１０ｂは明度５．０、居住者表記２０２Ａ〜２１０Ａは黒色（明度０）で表記されている。したがって、第一の実施例に係る住宅地図１００と同様、居住者表記が見やすい利点がある。
【００５６】
もちろん、本住宅地図２００によれば、第一の実施例に係る住宅地図１００と同様、家枠２０２ａ〜２１０ｂにより、家屋の形状を確認することができ、居住者表記２０２Ａ〜２１０Ａは、敷地内に略均等に表記されるため、大小縮尺のいずれにも対応することができる。また、居住者表記２０２Ａ〜２１０Ａから、敷地の範囲を類推することもできる。
【００５７】
また、同一敷地内に複数の家屋がある場合であっても、代表の家屋以外の居住者が不明確になる恐れもない。
【００５８】
つまり、住宅地図の利用に必要な建造物の形状および居住者表記が全て網羅していながら、多岐複雑とならない、見やすい住宅地図を提供することができる。
【００５９】
Ｃ．第三実施例：
図３は、第三の実施例に係る住宅地図３００を示す。本住宅地図３００は、上述した第一の実施例に係る住宅地図１００と同様、家枠３０２ａ〜３１０ｂとその家屋の居住者を表す居住者表記３０２Ａ〜３１０Ａとが主な構成要素であり、その他、家屋の周辺に存在する道路３１２ａなども構成要素に含まれる。
【００６０】
また、本住宅地図３００は、第一の実施例に係る住宅地図１００と同様、紙に白黒で印刷されたものであり、１／３０００の縮尺で表されている。
【００６１】
また、本住宅地図３００では、第一の実施例に係る住宅地図１００と同様、家枠３０２ａ〜３１０ｂのうち、居住者表記の存在領域に掛かる部分を印刷していない。そのため、居住者表記３０２Ａ〜３１０Ａが見やすい利点がある。
【００６２】
また、本住宅地図３００は、第一の実施例に係る住宅地図１００と異なり、家枠３０２ａ〜３１０ｂは明度５．０、家枠３０２ａ〜３１０ｂの内部は明度９．５、居住者表記３０２Ａ〜３１０Ａは黒色（明度０）で表記されている。したがって、家枠３０２ａ〜３１０ｂと居住者表記３０２Ａ〜３１０Ａが重なりあっても、両者を容易に判別することができる、第一の実施例に係る住宅地図１００と同様、居住者表記が見やすい利点がある。
【００６３】
もちろん、本住宅地図３００によれば、第一の実施例に係る住宅地図１００と同様、家屋の形状を表す家枠３０２ａ〜３１０ｂにより、家枠の形状を確認することができ、居住者表記３０２Ａ〜３１０Ａは、敷地内に略均等に表記されるため、大小縮尺のいずれにも対応することができる。また、居住者表記３０２Ａ〜３１０Ａから、敷地の範囲を類推することもできる。
【００６４】
また、同一敷地内に複数の家屋がある場合であっても、代表の家屋以外の居住者が不明確になる恐れもない。
【００６５】
つまり、住宅地図の利用に必要な建造物の形状および居住者表記が全て網羅していながら、多岐複雑とならない、見やすい住宅地図を提供することができる。
【００６６】
Ｄ．第四実施例：
図４に、第二の実施例に係る住宅地図４００を示す。本住宅地図４００は、上述した第一の実施例に係る住宅地図１００と同様、家枠４０２ａ〜４１０ｂとその家屋の居住者を表す居住者表記４０２Ａ〜４１０Ａとが主な構成要素であり、その他、家屋の周辺に存在する道路４１２ａなども構成要素に含まれる。
【００６７】
また、本住宅地図４００は、第一の実施例に係る住宅地図１００と同様、紙に白黒で印刷されたものであり、１／３０００の縮尺で表されている。
【００６８】
一方、本住宅地図４００は、第一の実施例に係る住宅地図１００と異なり、居住者表記の存在領域に掛かる部分があっても、家枠４０２ａ〜４１０ｂを全周に亘り印刷している。そのため、家枠４０２ａ〜４１０ｂを全周に亘り確認することができるという、第一の実施例に係る住宅地図１００が有していない利点がある。
【００６９】
また、本住宅地図４００は、第一の実施例に係る住宅地図１００と異なり、家枠４０２ａ〜４１０ｂは明度５．０、家枠４０２ａ〜４１０ａの内部は明度９．５、居住者表記４０２Ａ〜４１０Ａは黒色（明度０）で表記されている。したがって、家枠４０２ａ〜４１０ａと居住者表記４０２Ａ〜４１０Ａが重なりあっても、両者を容易に判別することができ、第一の実施例に係る住宅地図１００と同様、居住者表記が見やすい利点がある。
【００７０】
もちろん、本住宅地図４００によれば、第一の実施例に係る住宅地図１００と同様、家枠４０２ａ〜４１０ｂにより、家屋の形状を確認することができ、居住者表記４０２Ａ〜４１０Ａは、敷地内に略均等に表記されるため、大小縮尺のいずれにも対応することができる。また、居住者表記４０２Ａ〜４１０Ａから、敷地の範囲を類推することもできる。
【００７１】
また、同一敷地内に複数の家屋がある場合であっても、代表の家屋以外の居住者が不明確になる恐れもない。
【００７２】
つまり、住宅地図の利用に必要な建造物の形状および居住者表記が全て網羅していながら、多岐複雑とならない、見やすい住宅地図を提供することができる。
【００７３】
以上、本発明の種々の実施例について説明したが、本発明はこれらの実施例に限定されず、その趣旨を逸脱しない範囲で種々の構成を採ることができることはいうまでもない。
【００７４】
たとえば、第四の実施例に係る住宅地図４００において、同一敷地内に複数の建造物が存在する場合、実際に居住者が住んでいる家枠を、他の家枠と区別して表記するように構成してもよい。構成の方法は、たとえば、善隣花子さんの場合、実際に住んでいる家屋の形状を表す家枠４１０ａの内部は明度９．５、倉庫の形状を表す家枠４１０ｂの内部は明度９．７で表記するといったように、明度を異ならせることが好ましい。この場合、明度を異ならせるのではなく、色相を異ならせてもよい。
【００７５】
なお、特許桜子さんの場合、母屋の形状を表す家枠４０６ｂの内部は明度９．５、離れの形状を表す家枠４０６ａの内部も明度９．５で表記するといったように、明度を異ならせないようにすることで、家枠４０６ａ、４０６ｂともに人が住んでいることを類推させている。この場合、居住者表記４０６Ａをやや家枠４０６ｂに偏らせることで、家枠４０６ｂが母屋で、家枠４０６ａが離れであることと類推させることもできる。
【図面の簡単な説明】
【００７６】
【図１】第一実施例としての住宅地図１００を示す説明図である。
【図２】第二実施例としての住宅地図２００を示す説明図である。
【図３】第三実施例としての住宅地図３００を示す説明図である。
【図４】第四実施例としての住宅地図４００を示す説明図である。
【図５】従来の第一の住宅地図５００を示す説明図である。
【図６】従来の第二の住宅地図６００を示す説明図である。
【符号の説明】
【００７７】
１００…住宅地図
１０２…図心（重心）
１０２ａ〜１１０ｂ…家枠
１０２Ａ〜１１０Ａ…住居者表記
１１２ａ…道路
２００…住宅地図
２０２ａ〜２１０ｂ…家枠
２０２Ａ〜２１０Ａ…住居者表記
２１２ａ…道路
３００…住宅地図
３０２ａ〜３１０ｂ…家枠
３０２Ａ〜３１０Ａ…住居者表記
３１２ａ…道路
４００…住宅地図
４０２ａ〜４１０ｂ…家枠
４０２Ａ〜４１０Ａ…住居者表記
４１２ａ…道路
５００…住宅地図
５０２ａ〜５１０ｂ…家枠
５０２Ａ〜５１０Ａ…住居者表記
５１２ａ…道路
６００…住宅地図
６０２ａ〜６１０ａ…仮想区画線
６０２Ａ〜６１０Ａ…住居者表記
６１２ａ…道路
【図１】
2004348161.tif 000003
【図２】
2004348161.tif 000004
【図３】
2004348161.tif 000005
【図４】
2004348161.tif 000006
【図５】
2004348161.tif 000007
【図６】
2004348161.tif 000008